(57)【要約】【課題】使用初期と使用後期とに亘って安定してスムーズに浄水を生成できることの可能な浄水器を得る。【解決手段】浄水カートリッジ１０を凹部（カートリッジ収容部）３ｂへ装着させた使用状態において、浄水カートリッジ１０のフィルタ１６を本体容器２の鉛直軸Ａｗに対して傾斜させて配置する。【選択図】図１
2011152492.tif 000002
【特許請求の範囲】
【請求項１】
原水を貯留する原水室および浄水を貯留する浄水室が形成された本体容器と、
前記原水室および浄水室を区画する隔壁の底壁部に設けられ且つ前記原水室と前記浄水室とを連通する開口部が形成されたカートリッジ収容部と、
内部に浄化剤が充填される浄化室が形成されるとともに、前記浄化室を覆うようにしてフィルタが配置され且つ前記フィルタよりも高い位置に導水口が設けられた浄水カートリッジと、を備え、
前記本体容器の底壁部を下にした状態で浄水が生成される浄水器であって、
前記浄水カートリッジを前記カートリッジ収容部へ装着させた使用状態において、前記フィルタを前記本体容器の鉛直軸に対して傾斜させて配置するようにしたことを特徴とする浄水器。
【請求項２】
前記カートリッジ収容部の周壁部が、前記本体容器の鉛直軸に対して傾斜して形成されていることを特徴とする請求項１に記載の浄水器。
【請求項３】
前記本体容器が、当該本体容器の鉛直軸に対して傾斜して形成されていることを特徴とする請求項１または２に記載の浄水器。
【請求項４】
前記カートリッジ収容部の周壁部が前記本体容器の鉛直軸に沿って形成されるとともに、前記フィルタが、前記本体容器の鉛直軸に対して傾斜して設けられていることを特徴とする請求項１に記載の浄水器。
【請求項５】
前記浄水カートリッジの浄化室には、前記浄化剤を前記フィルタに向けて付勢する付勢手段が設けられていることを特徴とする請求項１〜４のうち何れか１項に記載の浄水器。
【請求項６】
前記浄水カートリッジの浄化室には、通水された水を吐出する孔部が設けられているとともに、前記孔部に向けて水をガイドする誘導部が設けられていることを特徴とする請求項１〜５のうち何れか１項に記載の浄水器。
【発明の詳細な説明】
【技術分野】
【０００１】
本発明は、浄水器に関する。
【背景技術】
【０００２】
一般家庭などでは、水道水等の原水を浄化して飲料水として利用するために、例えばポット型の浄水器が活用されている。このポット型の浄水器は、上側に位置する原水室と下側に位置する浄水室とを有した本体容器と、原水室と浄水室との間に介在する浄水カートリッジとを備えて構成されており、原水が浄水カートリッジを通過することによって浄水が生成され、生成された浄水が浄水室に貯留されるようになっている。
【０００３】
ところで、このポット型の浄水器は、通常では本体容器が冷蔵庫等に保管できる大きさに形成されるため、一度に生成できる浄水の量は限られてしまう。したがって、繰り返し使用することにより浄水量を稼ぐのであるが、特に夏場などでは、飲料水としてこの浄水の使用量が増えるため、原水を短時間で浄化できる能力が求められていた。
【０００４】
そこで、例えば特許文献１には、浄水カートリッジのフィルタカップと蓋との間にドーム状の布インサートを配置させるとともに、当該布インサートを活性炭などの浄化剤に接触させて設けることで、ふるい状入口から導水される水の表面張力を遮って、空気の背圧による通水抵抗を抑制したものが開示されている。
【先行技術文献】
【特許文献】
【０００５】
【特許文献１】特開平１０−７６２５３号公報
【発明の概要】
【発明が解決しようとする課題】
【０００６】
しかしながら、上記従来技術では、使用初期は通水抵抗を低減できるのであるが、水の流れが布インサートの接触部に集中するため、接触していた浄化剤が次第に押し流されて接触しなくなり、使用後期には通水抵抗が増大して浄水の生成がスムーズに行われない可能性があった。
【０００７】
そこで、本発明は、使用初期と使用後期とに亘って安定してスムーズに浄水を生成できることの可能な浄水器を得ることを目的とする。
【課題を解決するための手段】
【０００８】
請求項１の発明にあっては、原水を貯留する原水室および浄水を貯留する浄水室が形成された本体容器と、前記原水室および浄水室を区画する隔壁の底壁部に設けられ且つ前記原水室と前記浄水室とを連通する開口部が形成されたカートリッジ収容部と、内部に浄化剤が充填される浄化室が形成されるとともに、前記浄化室を覆うようにしてフィルタが配置され且つ前記フィルタよりも高い位置に導水口が設けられた浄水カートリッジと、を備え、前記本体容器の底壁部を下にした状態で浄水が生成される浄水器であって、前記浄水カートリッジを前記カートリッジ収容部へ装着させた使用状態において、前記フィルタを前記本体容器の鉛直軸に対して傾斜させて配置するようにしたことを特徴とする。
【０００９】
請求項２の発明にあっては、前記カートリッジ収容部の周壁部が、前記本体容器の鉛直軸に対して傾斜して形成されていることを特徴とする。
【００１０】
請求項３の発明にあっては、前記本体容器が、当該本体容器の鉛直軸に対して傾斜して形成されていることを特徴とする。
【００１１】
請求項４の発明にあっては、前記カートリッジ収容部の周壁部が前記本体容器の鉛直軸に沿って形成されるとともに、前記フィルタが、前記本体容器の鉛直軸に対して傾斜して設けられていることを特徴とする。
【００１２】
請求項５の発明にあっては、前記浄水カートリッジの浄化室には、前記浄化剤を前記フィルタに向けて付勢する付勢手段が設けられていることを特徴とする。
【００１３】
請求項６の発明にあっては、前記浄水カートリッジの浄化室には、通水された水を吐出する孔部が設けられているとともに、前記孔部に向けて水をガイドする誘導部が設けられていることを特徴とする。
【発明の効果】
【００１４】
請求項１の発明によれば、浄水カートリッジをカートリッジ収容部へ装着させた使用状態において、浄水カートリッジのフィルタを本体容器の鉛直軸に対して傾斜させて配置するようにしている。そのため、浄化剤を傾斜したフィルタの低い側に接触させることで流路を確保するとともに、通水された水によってフィルタの高い側に集まった空気を外部に排出させ易くなり、使用初期と使用後期とに亘って安定してスムーズに浄水を生成することが可能となる。
【００１５】
請求項２の発明によれば、カートリッジ収容部の周壁部を傾斜させることで、浄水カートリッジ全体を本体容器の鉛直軸に対して傾斜させる構成であるため、浄化室に充填された浄化剤を傾斜させてフィルタに接触させることができる。したがって、水の流れが接触部に集中しても、浄化剤が押し流されてしまうことを抑制でき安定して浄化剤をフィルタに接触させることができる。
【００１６】
請求項３の発明によれば、請求項２と同様の作用効果を得ることができる。
【００１７】
請求項４の発明によれば、請求項１と同様の作用効果を得ることができる。
【００１８】
請求項５の発明によれば、浄化剤をフィルタに向けて付勢する付勢手段が設けられているため、浄化剤をフィルタに確実に接触させることができるようになる。その結果、浄化剤とフィルタとの接触面積を増やして水を浄化室により浸透させ易くすることができる。
【００１９】
請求項６の発明によれば、誘導部によって孔部に向けて水をガイドすることができるため、浄化室内の滞留水を抑制してスムーズに浄水を生成することができるようになる。
【図面の簡単な説明】
【００２０】
【図１】本発明の第１実施形態にかかる浄水器の断面図である。
【図２】本発明の第１実施形態にかかる浄水カートリッジの断面図である。
【図３】図２に示す浄水カートリッジの第１変形例を示した図である。
【図４】図２に示す浄水カートリッジの第２変形例を示した図である。
【図５】本発明の第２実施形態にかかる浄水器の断面図である。
【図６】本発明の第３実施形態にかかる浄水器の断面図である。
【発明を実施するための形態】
【００２１】
以下、本発明の実施形態について図面を参照しながら詳細に説明する。なお、以下の複数の実施形態には、同様の構成要素が含まれている。よって、以下では、それら同様の構成要素には共通の符号を付与するとともに、重複する説明を省略する。
【００２２】
［第１実施形態］
図１および図２は、本発明にかかる浄水器の第１実施形態を示した図である。
【００２３】
図１に示すように、本実施形態の浄水器１は、ポット型浄水器として構成されており、略有底筒状の本体容器２と、同じく略有底筒状に形成される内容器（隔壁）３と、浄水カートリッジ１０とを備えて構成されている。そして、本体容器２の筒内に、当該本体容器２の天壁部８を望むようにして内容器３を配置することで、内容器３の内側を原水室４、外側を浄水室５に区画している。
【００２４】
内容器３の底壁部３ａには、原水室４と浄水室５とを連通する開口部３ｃを有した略円筒状の凹部（カートリッジ収容部）３ｂが形成されており、この凹部３ｂに、略円筒状の浄水カートリッジ１０が、上方から奥まで差し込まれて嵌着される。また、この状態では、浄水カートリッジ１０の下部１０ｂが、開口部３ｃから露出して浄水室５に臨むようになっている。そして、本体容器２の底壁部２ａを下にした状態で原水を原水室４に注水するとともに、原水が浄水カートリッジ１０を通過することによって浄水が生成され、生成された浄水が浄水室５に貯留される。
【００２５】
原水室４の上方には、給水口８ａの形成された天壁部８が配置される。給水口８ａは、天壁部８にヒンジ９ａを介して回動可能に取り付けられた上開き式の蓋９によって、開閉可能に塞がれている。原水は、蓋９を上方に開いた状態で給水口８ａを介して原水室４内に供給される。
【００２６】
また、内容器３の側壁部３ｃと本体容器２との間には、浄水室５から上方に向けて伸びる通路７が形成されており、本体容器２または天壁部８には、通路７の上端部となる位置に、注水口７ａを形成してある。本実施形態では、本体容器２を注水口７ａが下方となるように傾倒させることで（図１では本体容器２を時計回り方向に傾倒させることで）、浄水室５内に貯留された浄水を、通路７を経て注水口７ａから排出させる。なお、本実施形態では、注水口７ａは、本体容器２あるいは天壁部８に回動可能に支持された上開き式の蓋体２０によって、開閉可能に塞がれている。この場合、本体容器２を傾けたときに、蓋体２０を自重や水の動圧等によって回動させ、注水口７ａを開放するように構成することができる。
【００２７】
浄水カートリッジ１０は、図２に示すように、天面が開口されるとともに、浄化剤１２が充填される浄化室Ｓ２が形成された有底筒状のケース１４と、前記浄化室Ｓ２を覆うフィルタ１６と、ケース１４の開口部１４ｅを覆うように結合され且つ前記フィルタ１６よりも高い位置に導水口１１が形成された蓋１５とを備えている。
【００２８】
蓋１５は、外筒１７ａの天壁１７ｂから浄水カートリッジ１０の中心軸Ａｘに略沿って内筒１７ｄが下方に伸びたカップ１７と、内筒１７ｄの下端部に突出部１８ａを挿通させることで内側に添加剤収容室Ｓ１を形成するキャップ１８とを備えている。この添加剤収容室Ｓ１には、例えば直径数ミリ程度の粒状カルシウム等の添加剤（図示せず）が収容されるようになっている。
【００２９】
カップ１７の周壁１７ｃには、略矩形状の導水口１１が周方向に沿って断続的に形成されている。この導水口１１にはインサート成形等することでメッシュ１２が構成されており、添加剤が導水口１１から零れ出るのが抑制されている。また、キャップ１８の周壁１８ｂには、その下端から上方に向けて伸びるスリット状の切欠１８ｃが形成されている。切欠１８ｃの幅は、添加剤の粒径より小さく設定され、これにより、添加剤が切欠１８ｃから零れ出るのが抑制されている。
【００３０】
このように構成される本実施形態の蓋１５では、原水室４から導水口１１を介して導入された水が、キャップ１８の切欠１８ｃを通過して添加剤収容室Ｓ１内に流入し、添加剤と接触した水が再度切欠１８ｃを通過してケース１４内に流出するようになっている。
【００３１】
ケース１４は、浄水カートリッジ１０の中心軸Ａｘに沿う位置に配置された略円筒状の筒体１９によって、径方向に仕切られており、本実施形態では、筒体１９の外周側を浄化剤（例えば粒状あるいは粉状の活性炭等）１２が収容された浄化室Ｓ２とし、筒体１９の筒内を濾過材（例えば逆Ｕ字状に湾曲された中空糸膜等）１３が収容された濾過室Ｓ３としている。
【００３２】
かかる構成では、フィルタ１６を通過して導入された水は、浄化室Ｓ２および濾過室Ｓ３をこの順に経由して、下端部１０ｂの排水口１０ｃから排出されるようになっている。筒体１９は、ケース１４の底壁１４ａの中央部に形成された下方に凹む凹部１４ｂに嵌入され、これにより、浄水カートリッジ１０の中心軸Ａｘに沿って上下方向に立設されている。
【００３３】
浄化室Ｓ２は、ケース１４の周壁１４ｃ、筒体１９、底壁１４ａ、およびフィルタ１６で囲まれて、略円環状の断面を有する筒状に形成されている。本実施形態では、フィルタ１６は、リング状に形成されて筒体１９を取り囲んでおり、その外縁部１６ａをケース１４と蓋１５との間に挟み込むようにして固定してある。このフィルタ１６としては、不織布、スポンジ等の発泡体シートを好適に用いることができ、撓み変形可能ではあるが、その自重によっても平板形状から変形しない程度の自己保形性（弾性）を有している。また、本実施形態では、筒体１９の上端に、キャップ１８を装着し、このキャップ１８から径外側に張り出すフランジ部１８ｄによって、フィルタ１６の内縁部１６ｂがフランジ部１８ｄより上方には反り返らないようにしている。かかる構成により、浄水カートリッジ１０を浄水器１から取り外した状態で傾けたり上下逆転させたりした場合にあっても、フィルタ１６がフランジ部１８ｄに係止されて隙間が塞がれるため、浄化室Ｓ２から浄化剤１２が添加剤収容室Ｓ１や蓋１５側に漏出するのを抑制することができる。
【００３４】
筒体１９の下部には、連通口１９ａが形成されており、この連通口１９ａによって、浄化室Ｓ２と濾過室Ｓ３とが連通されている。浄化室Ｓ２内で浄化剤１２に不純物を吸着させて除去した水は、連通口１９ａを介して濾過室Ｓ３内に導入される。
【００３５】
濾過室Ｓ３には、濾過材１３としての細いストロー状の中空糸膜が、多数束ねられて略逆Ｕ字状に湾曲させた状態で収容されている。濾過室Ｓ３内から中空糸膜の膜壁を通過して膜内に透過した水は、膜内を通って濾過室Ｓ３の下端部に流出し、排水口１０ｃから浄水室５に流出する。水が中空糸膜の膜壁を通過する際に、水に含まれる不純物が濾過される。濾過材１３としての中空糸膜は、連通口１９ａより下方で接着剤（図示せず）によって隙間を埋められつつ筒体１９に固定されており、この接着剤によって、濾過室Ｓ３内から中空糸膜を通過せずに直接流出するのが阻止されている。
【００３６】
ところで、浄水カートリッジ１０内の各部、特にフィルタ１６と浄化剤１２の間に不本意に空気が溜まると、水の重力と空気の浮力が釣り合って水の流路が空気で塞がれてしまうため、所望の流量が得られなくなって、浄水が得られるまでに時間がかかってしまう虞がある。そのため、このような構成の浄水カートリッジ１０では、通水時に内部に存在する空気をスムーズに排出しながら水を導入することが、原水をより短時間で浄化することに繋がる。そこで、本実施形態では、浄水カートリッジ１０をカートリッジ収容部としての凹部３ｂへ装着させた使用状態において、フィルタ１６を本体容器２の鉛直軸Ａｗ（重力方向）に対して傾斜させて配置するようにしている。
【００３７】
具体的には、図１および２に示すように、本実施形態では、凹部３ｂの周壁部３ｄが本体容器２の鉛直軸Ａｗに対して傾斜して形成されており、この凹部３ｂに浄水カートリッジ１０を装着させることによって、浄水カートリッジ１０全体を傾斜させている。すなわち、浄水カートリッジの中心軸Ａｘが、本体容器の鉛直軸Ａｗに対してＸ度傾斜している。
【００３８】
また、蓋１５の天壁としてのカップ１７の天壁１７ｂには、複数のエア抜き孔１７ｅ、１７ｆを形成してある。この複数のエア抜き孔１７ｅ、１７ｆは、導水口１１よりも高い位置に設けられており、エア抜き孔１７ｅが内筒１７ｄの内側に位置するとともに、エア抜き孔１７ｆが内筒１７ｄの外側に位置して貫通形成されている。
【００３９】
したがって、濾過室Ｓ３内の空気は、キャップ１８の突出部１８ａ、カップ１７の内筒１７ｄの筒内を経て、エア抜き孔１７ｅから排出されるとともに、浄化室Ｓ２内の空気は、フィルタ１６、キャップ１７の切欠１８ｃを経て添加剤収容室Ｓ１内に入り、カップ１７の周壁１７ｃと内筒１７ｄの間を上昇してエア抜き孔１７ｆから排出される。
【００４０】
この際、本実施形態では、浄水カートリッジ１０全体が本体容器２の鉛直軸Ａｗに対して傾斜して配置されているため、フィルタ１６と浄化剤１２の間に介在する空気Ｓの置換が可能となる。したがって、浄化剤１２を傾斜したフィルタ１６の低い側に接触させることで流路を確保して水を浄化室Ｓ２に浸透させ易くできるとともに、通水された水によってフィルタ１６の高い側に集まった空気Ｓを効率よく外部に押し出し、エア抜き孔１７ｂから排出させることができる。その結果、使用初期と使用後期とに亘って安定してスムーズに浄水を生成することが可能となる。
【００４１】
以上、詳細に亘って説明してきたように、本実施形態では、浄水カートリッジ１０をカートリッジ収容部としての凹部３ｂへ装着させた使用状態において、浄水カートリッジ１０のフィルタ１６を本体容器２の鉛直軸Ａｗに対して傾斜させて配置するようにしている。そのため、浄化剤１２を傾斜したフィルタ１６の低い側に接触させることで流路を確保するとともに、通水された水によってフィルタ１６の高い側に集まった空気Ｓを外部に排出させ易くなり、使用初期と使用後期とに亘って安定してスムーズに浄水を生成することが可能となる。
【００４２】
特に、本実施形態では、凹部３ｂの周壁部３ｄを傾斜させることで、浄水カートリッジ１０全体を本体容器２の鉛直軸Ａｗに対して傾斜させる構成であるため、浄化室２に充填された浄化剤１２を傾斜させてフィルタ１６に接触させることができる。したがって、水の流れが接触部に集中しても、浄化剤１２が押し流されてしまうことを抑制でき安定して浄化剤１２をフィルタ１６に接触させることができる。
【００４３】
さらにまた、このように浄水カートリッジ１０全体を本体容器２の鉛直軸Ａｗに対して傾斜させる構成では、通水された水がフィルタ１６の低い側（接触部）に集中するとともに、浄化室Ｓ２の空気Ｓがフィルタ１６の高い側に集中するため、水の重力と空気の浮力の差を上手く利用して、浄化室Ｓ２内の空気Ｓを効率よく外部に排出させることができる。
【００４４】
また、本実施形態では、凹部３ｂの周壁部３ｄを本体容器２の鉛直軸Ａｗに対して傾斜させる構成であるため、内容器（隔壁）３の底壁部３ａに設けられる凹部３ｂのみを傾斜させればよく、比較的簡単に製造することができる。
【００４５】
次に、図３および４を参照して、本実施形態にかかる浄水カートリッジ１０の変形例について説明する。図３は、上記実施形態にかかる浄水カートリッジの第１変形例を示した図である。
【００４６】
図３に示す第１変形例の浄水カートリッジ１０Ａは、浄化室Ｓ２に、浄化剤１２をフィルタ１６に向けて付勢する付勢手段を設けたものである。
【００４７】
具体的には、本変形例では、付勢手段はケース１４の底壁１４ａに一端部が係止されたバネ２１と、このバネ２１の他端部に結合されるメッシュ状の可動仕切板２２とによって構成され、浄化剤１２は、この可動仕切板２２の上に充填されるようになっている。
【００４８】
なお、ポット型の浄水器１においては、水の重力で浄化を行う構成であるため、浄化剤（例えば活性炭）１２は粒径がより細かい方が効率的で性能向上には好ましいのであるが、流量の低下する傾向があるため、約１０メッシュから３２メッシュ程度（０.５ミリから２ミリ程度の粒径）が一般的である。但し、粉砕の微粒の流出防止を考慮すると多少なり大きいサイズのメッシュが望ましいので、本変形例では、約１００メッシュ程度（０.２ミリ程度の口径の穴）のメッシュをインサートする若しくは一体成形した可動仕切板２２を構成している。なお、可動仕切板２２から浄化剤１２が流出しても、本変形例では上記実施形態と同様にして、筒体１９の内側に濾過材１３としての細いストロー状の中空糸膜が配置された濾過室Ｓ３が形成されているため、浄水室５に漏れ出ることはない。
【００４９】
かかる構成の浄水カートリッジ１０Ａでは、浄化剤１２をフィルタ１６に向けて付勢する付勢手段としてのバネ２１と可動仕切板２２が設けられているため、浄化剤１２をフィルタ１６に確実に接触させることができるようになる。その結果、浄化剤１２とフィルタ１６との接触面積を増やして水を浄化室Ｓ２により浸透させ易くすることができる。
【００５０】
なお、本変形例では、付勢手段として可動仕切板２２とバネ２１を用いたが、これに限定されず、例えば可動仕切板とフロート等を用いてもよい。
【００５１】
図４は、上記実施形態にかかる浄水カートリッジの第２変形例を示した図である。
【００５２】
図４に示す第２変形例の浄水カートリッジ１０Ｂは、浄化室Ｓ２に、通水された水を孔部としての連通孔１９ａに向けてガイドする誘導部を設けたものである。
【００５３】
具体的には、本変形例では、誘導部としての集水板２３がケース１４の底壁１４ａと周壁１４ｃとに跨って結合されており、これにより孔部としての連通孔１９ａに向けて水をガイドするようになっている。
【００５４】
ところで、本変形例のように、浄水カートリッジ１０Ｂを本体容器の鉛直軸Ａｗ（図１参照）に対して傾斜させて配置する構成では、通水された水がその傾斜した低い側となるケース１４角部１４ｇに滞留してしまう恐れがある。しかしながら、本変形例では、この角部１４ｇに集水板２３が所定角傾斜して設けられているため、ケース１４角部１４ｇに滞留する所謂、死に水を減少させることもできる。なお、本変形例の場合には、集水板２３の傾斜角度を、浄水カートリッジ１０Ｂの傾斜角度以上に設定するのが好ましい。
【００５５】
かかる構成の浄水カートリッジ１０Ｂでは、誘導部としての集水板２３によって連通孔１９ａに向けて水をガイドすることができるため、浄化室Ｓ２内の滞留水を抑制してスムーズに浄水を生成することができるようになる。
【００５６】
また、誘導部としての集水板２３が、浄水カートリッジ１０Ｂの傾斜角度以上に傾斜してケース１４角部１４ｇに設けられているため、浄水カートリッジ１０Ｂを傾斜させて配置したことにより当該角部１４ｇに水が滞留してしまう所謂、死に水を減少させることができる。
【００５７】
なお、本変形例では、誘導部としての集水板２３をケース１４の底壁１４ａに配置させる構成としたが、これに限定されず、例えばケース１４の底壁１４ａを傾斜させるようにしてもよい。
【００５８】
［第２実施形態］
次に、本発明の第２実施形態について図面を参照して説明する。図５は、本実施形態にかかる浄水器を示した図である。
【００５９】
本実施形態の浄水器１Ａは、上記第１実施形態と同様にして、カートリッジ収容部としての凹部３ｂに浄水カートリッジ１０を装着させた使用状態において、浄水カートリッジ１０のフィルタ１６を本体容器２Ａの鉛直軸Ａｗに対して傾斜させて配置している。
【００６０】
ここで、本実施形態が上記第１実施形態と主に異なる点は、本体容器２Ａが、当該本体容器２Ａの鉛直軸Ａｗに対して傾斜して形成されることで、フィルタ１６を鉛直軸Ａｗに対して傾斜させて配置したことにある。
【００６１】
具体的には、図５に示すように、本実施形態では本体容器２Ａの底壁部２ａを傾斜させて構成しており、この底壁部２ａを水平面に載置することで、本体容器２Ａ全体を鉛直軸Ａｗに対して傾斜させるようにしている。
【００６２】
したがって、内容器３ａの底壁部３ａならびにカートリッジ収容部としての凹部３ｂが必然と鉛直軸Ａｗに対して傾斜するようになり、この凹部３ｂに浄水カートリッジ１０を装着させることによって、浄水カートリッジ１０を鉛直軸Ａｗに対して傾斜して配置させることができる。
【００６３】
以上の構成の本実施形態の浄水器１Ａによっても、浄化剤１２を傾斜したフィルタ１６の低い側に接触させることで流路を確保するとともに、通水された水によってフィルタ１６の高い側に集まった空気Ｓを外部に排出させ易くなり、使用初期と使用後期とに亘って安定してスムーズに浄水を生成することが可能となる。
【００６４】
また、浄化室２に充填された浄化剤１２を傾斜させてフィルタ１６に接触させることができるため、水の流れが接触部に集中しても、浄化剤１２が押し流されてしまうことを抑制でき、安定して浄化剤１２をフィルタ１６に接触させることができる。
【００６５】
さらにまた、通水された水がフィルタ１６の低い側（接触部）に集中するとともに、浄化室Ｓ２の空気がフィルタ１６の高い側に集中し、水の重力と空気の浮力の差を上手く利用して、浄化室Ｓ２内の空気Ｓを効率よく外部に排出させることができる。
【００６６】
［第３実施形態］
次に、本発明の第３実施形態について図面を参照して説明する。図６は、本実施形態にかかる浄水器を示した図である。
【００６７】
本実施形態の浄水器１Ｂは、上記第１実施形態と同様にして、カートリッジ収容部としての凹部３ｂに浄水カートリッジ１０を装着させた使用状態において、浄水カートリッジ１０のフィルタ１６Ａを本体容器２の鉛直軸Ａｗに対して傾斜させて配置している。
【００６８】
ここで、本実施形態が上記第１実施形態と主に異なる点は、凹部３ｂの周壁部３ｄが本体容器２の鉛直軸Ａｗに沿って形成されており、この凹部３ｂに浄水カートリッジ１０を装着させるとともに、フィルタ１６Ａが鉛直軸Ａｗに対して傾斜して設けられたことにある。
【００６９】
具体的には、本実施形態では図６に示すように、ケース１４Ａの開口部１４ｅ周縁に形成される円筒状のフランジ部１４ｆ、および蓋１５Ａのカップ１７Ａ下部に形成される同じく円筒状のフランジ部１７ｇを鉛直軸Ａｗに対して傾斜させて設け、当該一対のフランジ部１４ｆ、１７ｇ間にフィルタ１６Ａの外縁部１６ａを挟み込むようにして固定してある。
【００７０】
以上の構成の本実施形態の浄水器１Ｂによっても、浄化剤１２を傾斜したフィルタ１６Ａの低い側に接触させることで流路を確保するとともに、通水された水によってフィルタ１６Ａの高い側に集まった空気Ｓを外部に排出させ易くなり、使用初期と使用後期とに亘って安定してスムーズに浄水を生成することが可能となる。
【００７１】
以上、本発明の好適な実施形態について説明したが、本発明は上記実施形態には限定されず、種々の変形が可能である。
【符号の説明】
【００７２】
１、１Ａ、１Ｂ    浄水器
２、２Ａ    本体容器    
３、３Ａ    内容器（隔壁）    
３ａ  底壁部
３ｂ  凹部（カートリッジ収容部）
３ｃ  開口部
４    原水室
５    浄水室
１０、１０Ａ、１０Ｂ  浄水カートリッジ
１１  導水口
１２  浄化剤
１６，１６Ａ  フィルタ
【図１】
2011152492.tif 000003
【図２】
2011152492.tif 000004
【図３】
2011152492.tif 000005
【図４】
2011152492.tif 000006
【図５】
2011152492.tif 000007
【図６】
2011152492.tif 000008